(57)【要約】【課題】本発明は電子レンジなどの加熱調理装置の回転網に関するものであり、大きな食品でも、むら無く効率よく調理することである。【解決手段】一方の脚部６ａには滑り防止手段を設け、一方の脚部６ｂには滑り防止手段を設けない構成にしているため、網本体３を広くすることができ、大きな食品でも、むら無く効率よく調理できるという有利な効果を有する。【選択図】　図１
2004003747.tif 000002
【特許請求の範囲】
【請求項１】
食品を載せる網本体と、前記網本体に設けた２ヶ所以上の脚部と、前記脚部に滑り防止手段とを設け、前記脚部の少なくとも１ヶ所は滑り防止手段を有さないことを特徴とした調理用網。
【請求項２】
滑り防止手段を設けない脚部の形状がＬ字型を形成してなる請求項１に記載の調理用網。
【請求項３】
滑り防止手段を設けない脚部の形状がＵ字型を形成してなる請求項１に記載の調理用網。
【請求項４】
食品を載せる網本体と、前記網本体に設けた２ヶ所以上の脚部と、前記脚部の少なくとも１ヶ所に滑り防止手段とを設け、滑り防止手段を設けない脚部の形状が、前記網本体の外周に設けた網外周部と、前記網外周部から外側に延長した延長部と、前記延長部を前記網外周部の方向に向かって屈曲した屈曲部とで形成された調理用網。
【請求項５】
食品を収納する加熱室と、前記加熱室内で食品を載せる網本体と、前記網本体に設けた２ヶ所以上の脚部と、前記網本体の脚部を受ける受け皿と、前記脚部に滑り防止手段とを設け、前記脚部の少なくとも１ヶ所は滑り防止手段を有さないことを特徴とした加熱調理装置。
【請求項６】
食品を収納する加熱室と、回転手段と、前記加熱室内で食品を載せる網本体と、前記網本体に設けた２ヶ所以上の脚部と、前記網本体の脚部を載置して回転する受け皿と、前記脚部に滑り防止手段とを設け、前記脚部の少なくとも１ヶ所は滑り防止手段を有さないことを特徴とした加熱調理装置。
【請求項７】
滑り防止手段を設けない脚部の形状がＬ字型を形成してなる請求項５または６に記載の加熱調理装置。
【請求項８】
滑り防止手段を設けない脚部の形状がＵ字型を形成してなる請求項５または６に記載の加熱調理装置。
【請求項９】
食品を収納する加熱室と、前記加熱室内で食品を載せる網本体と、前記網本体に設けた２ヶ所以上の脚部と、前記網本体の脚部を受ける受け皿と、前記脚部に滑り防止手段とを設け、滑り防止手段を設けない脚部の形状が、前記網本体の外周に設けた網外周部と、前記網外周部から外側に延長した延長部と、前記延長部を前記網外周部の方向に向かって屈曲した屈曲部とで形成された加熱調理装置。
【請求項１０】
食品を収納する加熱室と、回転手段と、前記加熱室内で食品を載せる網本体と、前記網本体に設けた２ヶ所以上の脚部と、前記網本体の脚部を載置して回転する受け皿と、前記脚部に滑り防止手段とを設け、滑り防止手段を設けない脚部の形状が、前記網本体の外周に設けた網外周部と、前記網外周部から外側に延長した延長部と、前記延長部を前記網外周部の方向に向かって屈曲した屈曲部とで形成された加熱調理装置。
【請求項１１】
受け皿の外周を凸部形状に形成してなる請求項５〜１０のいずれか１項に記載の加熱調理装置。
【請求項１２】
受け皿の外周を凹部形状に形成してなる請求項５〜１０のいずれか１項に記載の加熱調理装置。
【請求項１３】
受け皿の外周に外壁を形成してなる請求項５〜１０のいずれか１項に記載の加熱調理装置。
【請求項１４】
受け皿の外周部に傾斜を形成してなる請求項５〜１０のいずれか１項に記載の加熱調理装置。
【請求項１５】
食品を載せる網本体と、前記網本体を載置して回転する受け皿とを設け、前記網本体の実質的な中心は、前記受け皿の実質的な回転中心軸からずれていることを特徴とした加熱調理装置。
【発明の詳細な説明】
【０００１】
【発明の属する技術分野】
本発明は、調理用網および加熱調理装置、特に電子レンジの回転網の構成に関するものである。
【０００２】
【従来の技術】
従来この種の調理用網および加熱調理装置は、図５、図６に示す第１の従来例のように、加熱室（図示せず）の上部に設けたヒーターなどの加熱手段（図示せず）により食品（図示せず）を加熱調理していた。加熱室内部の温度分布は必ずしも一定ではなく、温度分布のむらがあった。このため食品の内部温度を均一にして、良好な調理結果を得るために、食品は回転皿１０１に置いた網本体１０２に載せて回転させることによって食品の温度分布を均一にしていた。網本体１０２はまた、調理時間を短縮するために、加熱手段に食品を近づけていた。回転皿１０１は熱に強く、耐久性を持たせるため、一般に陶器や耐熱ガラスで作られていた。網本体１０２は、ワイヤで構成した網外周部１０３と、ワイヤを等間隔に配置した網部１０４と、この網部１０４のワイヤを延長、屈曲させて形成した脚部１０５ａ、１０５ｂ、１０５ｃ、および、各脚部の先端に設けた、シリコンゴムなどによる滑り防止手段１０６からなっていた。回転皿１０１は、食品を出し入れする際に食品の出し入れがしやすい様に、表面は滑らかにしていた。この回転皿１０１が回転する際、滑らかな回転皿１０１上を網本体１０２が移動し、回転皿１０１から脱落するなどして食品が落下しないように、滑り防止手段１０６の摩擦力によって、網本体１０２を回転皿１０１に設置していた。回転皿縁部１０７は、なだらかに上方に湾曲していて、食品から出た油などを回転皿１０１内に溜めるようにしていた。
【０００３】
図７および図８は、第２の従来例を示している。第１の従来例と同様に、網部１０４のワイヤを延長、屈曲させて形成した脚部１０５ａ、１０５ｂ、１０５ｃを有していたが、構造を簡単にして製造しやすくするために、滑り防止手段１０６を有していなかった。回転皿１０１から網本体１０２が脱落するのを防ぐため、滑り防止手段の代わりに、回転皿縁部１０７を垂直に立ち上げ、脚部１０５ａ、１０５ｂ、１０５ｃに当接するようにしていた。一般に回転皿１０１は耐熱ガラスなどでできていたたが、このように、回転皿縁部１０７に垂直面を構成すると、食品の出し入れの際に、食品や食器を当てて破損する可能性があった。このため、従来は、回転皿縁部１０７は衝撃に強い構成にするために厚肉にしていた。
【０００４】
【発明が解決しようとする課題】
しかしながら、図５及び図６に示した第１の従来の調理用網および加熱調理装置では、回転皿１０１の直径に比べ、網本体１０２の直径をはるかに小さくしなければならなかった。すなわち、脚部１０５ａ、１０５ｂ、１０５ｃにそれぞれ滑り防止手段１０６を有していたため、回転皿縁部１０７から、滑り防止手段１０６の半径を差し引いたものよりも、網本体１０２を小さくしなければならなかった。図７、図８に示す第２の従来の加熱装置では、滑り防止手段を用いない代わりに、回転皿縁部１０７を厚くしていたので、回転皿１０１の直径が同じであれば、同様に網本体１０２の直径は小さくなっていた。このため、網本体１０２に載せられる食品は、比較的小さいものに限られるという課題があった。
【０００５】
【課題を解決するための手段】
本発明は上記課題を解決するために、少なくとも一方の脚部には滑り防止手段を設け、少なくとも一方の脚部には滑り防止手段を設けない構成にしたものである。
【０００６】
上記発明によれば、一方の脚部には滑り防止手段があるため、回転皿の回転中に網本体が滑って脱落する恐れが無く、回転皿縁部の厚みを厚くする必要がない。また、一方の脚部に滑り防止手段が無い分だけ、網本体を広げることができるので、同じ直径の回転皿であれば、網本体の直径を大きくすることができる。
【０００７】
【発明の実施の形態】
本発明は、食品を載せる網本体と、前記網本体に設けた２ヶ所以上の脚部と、前記脚部に滑り防止手段とを設け、前記脚部の少なくとも１ヶ所は滑り防止手段を有さないものである。そして、一方の脚部には滑り防止手段があるため、網本体が滑る恐れが無く、一方の脚部に滑り防止手段が無い分だけ、網本体を広げることができるので、網本体を大きくすることができる。
【０００８】
また、本発明は、滑り防止手段を設けない脚部の形状がＬ字型を形成してなるものである。そして、一方の脚部には滑り防止手段があるため、網本体が滑る恐れが無く、一方の脚部に滑り防止手段が無い分だけ、網本体を広げることができるので、網本体を大きくすることができる。
【０００９】
また、本発明は、滑り防止手段を設けない脚部の形状がＵ字型を形成してなるものである。そして、一方の脚部には滑り防止手段があるため、網本体が滑る恐れが無く、一方の脚部に滑り防止手段が無い分だけ、網本体を広げることができるので、網本体を大きくすることができる。
【００１０】
また、本発明は、食品を載せる網本体と、前記網本体に設けた２ヶ所以上の脚部と、前記脚部の少なくとも１ヶ所に滑り防止手段とを設け、滑り防止手段を設けない脚部の形状が、前記網本体の外周に設けた網外周部と、前記網外周部から外側に延長した延長部と、前記延長部を前記網外周部の方向に向かって屈曲した屈曲部とで形成されたものである。そして、一方の脚部には滑り防止手段があるため、網本体が滑る恐れが無く、また、一方の脚部に滑り防止手段が無く、かつ、網中心に近く配置できるため、網本体を大きくすることができる。
【００１１】
また、本発明は、食品を収納する加熱室と、前記加熱室内で食品を載せる網本体と、前記網本体に設けた２ヶ所以上の脚部と、前記網本体の脚部を受ける受け皿と、前記脚部に滑り防止手段とを設け、前記脚部の少なくとも１ヶ所は滑り防止手段を有さないものである。そして、一方の脚部には滑り防止手段があるため、受け皿から網本体が滑って脱落する恐れがない。また、一方の脚部に滑り防止手段が無い分だけ、網本体を大きくすることができる。
【００１２】
また、本発明は、食品を収納する加熱室と、回転手段と、前記加熱室内で食品を載せる網本体と、前記網本体に設けた２ヶ所以上の脚部と、前記網本体の脚部を載置して回転する受け皿と、前記脚部に滑り防止手段とを設け、前記脚部の少なくとも１ヶ所は滑り防止手段を有さないことを特徴としたものである。そして、一方の脚部には滑り防止手段があるため、回転皿の回転中に網本体が滑って脱落する恐れが無く、回転皿縁部の厚みを厚くする必要がない。また、一方の脚部に滑り防止手段が無い分だけ、網本体を広げることができるので、同じ直径の回転皿であれば、網本体を大きくすることができる。
【００１３】
また、本発明は、滑り防止手段を設けない脚部の形状がＬ字型を形成してなるものである。そして、一方の脚部には滑り防止手段があるため、回転皿の回転中に網本体が滑って脱落する恐れが無く、回転皿縁部の厚みを厚くする必要がない。また、一方の脚部に滑り防止手段が無い分だけ、網本体を広げることができるので、同じ直径の回転皿であれば、網本体を大きくすることができる。
【００１４】
また、本発明は、滑り防止手段を設けない脚部の形状がＵ字型を形成してなるものである。そして、一方の脚部には滑り防止手段があるため、回転皿の回転中に網本体が滑って脱落する恐れが無く、回転皿縁部の厚みを厚くする必要がない。また、一方の脚部に滑り防止手段が無い分だけ、網本体を広げることができるので、同じ直径の回転皿であれば、網本体を大きくすることができる。
【００１５】
また、本発明は、食品を収納する加熱室と、前記加熱室内で食品を載せる網本体と、前記網本体に設けた２ヶ所以上の脚部と、前記網本体の脚部を受ける受け皿と、前記脚部に滑り防止手段とを設け、滑り防止手段を設けない脚部の形状が、前記網本体の外周に設けた網外周部と、前記網外周部から外側に延長した延長部と、前記延長部を前記網外周部の方向に向かって屈曲した屈曲部とで形成されたものである。そして、一方の脚部には滑り防止手段があるため、受け皿から網本体が滑って脱落する恐れが無い。また、一方の脚部に滑り防止手段が無く、かつ、網中心に近く配置できるため、網本体を大きくすることができる。
【００１６】
また、本発明は、食品を収納する加熱室と、回転手段と、前記加熱室内で食品を載せる網本体と、前記網本体に設けた２ヶ所以上の脚部と、前記網本体の脚部を載置して回転する受け皿と、前記脚部に滑り防止手段とを設け、滑り防止手段を設けない脚部の形状が、前記網本体の外周に設けた網外周部と、前記網外周部から外側に延長した延長部と、前記延長部を前記網外周部の方向に向かって屈曲した屈曲部とで形成されたものである。そして、一方の脚部には滑り防止手段があるため、受け皿から網本体が滑って脱落する恐れが無い。また、一方の脚部に滑り防止手段が無く、かつ、網中心に近く配置できるため、網本体を大きくすることができる。
【００１７】
また、本発明は、受け皿の外周を凸部形状に形成してなるものである。そして、一方の脚部には滑り防止手段があるため、受け皿から網本体が滑って脱落する恐れが無い。また、一方の脚部に滑り防止手段が無く、かつ、網中心に近く配置できるため、網本体を大きくすることができる。
【００１８】
また、本発明は、受け皿の外周を凹部形状に形成してなるものである。そして、一方の脚部には滑り防止手段があるため、受け皿から網本体が滑って脱落する恐れが無い。また、一方の脚部に滑り防止手段が無く、かつ、網中心に近く配置できるため、網本体を大きくすることができる。
【００１９】
また、本発明は、受け皿の外周に外壁を形成してなるものである。そして、一方の脚部には滑り防止手段があるため、受け皿から網本体が滑って脱落する恐れが無い。また、一方の脚部に滑り防止手段が無く、かつ、網中心に近く配置できるため、網本体を大きくすることができる。
【００２０】
また、本発明は、受け皿の外周部に傾斜を形成してなるものである。そして、一方の脚部には滑り防止手段があるため、受け皿から網本体が滑って脱落する恐れが無い。また、一方の脚部に滑り防止手段が無く、かつ、網中心に近く配置できるため、網本体を大きくすることができる。
【００２１】
また、本発明は、食品を載せる網本体と、前記網本体を載置して回転する受け皿とを設け、前記網本体の実質的な中心は、前記受け皿の実質的な回転中心軸からずれているものである。そして、網本体の中心は受け皿の回転中心軸からずれているので、食品は、受け皿の回転中心軸から偏心して回転することができる。このため、加熱室内の温度分布むらの影響を、より小さくできるので、良好な調理結果を得ることができる。
【００２２】
【実施例】
以下、本発明の実施例について図面を用いて説明する。
【００２３】
（実施例１）
図１は本発明の一実施例の調理用網の斜視図である。
【００２４】
図１において、加熱室１の上部に設けたヒーターなどの加熱手段（図示せず）により食品（図示せず）を加熱調理している。加熱室内部の温度分布は必ずしも一定ではなく、場所により温度分布のむらがあるので、食品の内部温度を均一にして、良好な調理結果を得るために、加熱室内に設けた回転皿２に、食品を載せた網本体３を設置して回転させている。網本体３は、ワイヤで構成した網外周部４と、ワイヤを等間隔に配置した網部５と、この網部５のワイヤを延長、屈曲させて形成した脚部６ａ、６ｂを有している。一方の脚部６ａの先端には、シリコンゴム製の滑り防止手段７を有している。もう一方の脚部６ｂは、略Ｌ字型に曲げていて滑り防止手段は無い。脚部６ａ、６ｂは、食品を持ち上げ、ヒーターに近づけることによって、調理時間を早めている。回転皿２は、食品を出し入れする際に食品や食器の出し入れがしやすい様に、表面は滑らかにしている。この回転皿２が回転することにより、滑らかな回転皿２上を網本体３が移動し、回転皿２から脱落するなどして食品が落下しないように、滑り防止手段７の摩擦力によって、網本体３を回転皿２に設置している。回転皿縁部８は、なだらかに上方に湾曲していて、食品から出た油などを回転皿２内に溜めるようにしている。
【００２５】
次に動作、作用について説明すると、一方の脚部６ａには滑り防止手段があるため、回転皿２の回転中に網本体３が滑って脱落する恐れが無く、脚部６ｂに脱落防止手段が無くてもよい。回転皿縁部８を垂直にして脚部６ｂに当接させる必要が無いため、回転皿縁部８に食品や食器がぶつかって破損する恐れが無く、回転皿縁部８の厚みを厚くする必要がない。また、一方の脚部６ｂに滑り防止手段が無い分だけ、網本体３を広げることができるので、網本体３の直径を大きくすることができ、大きな食品も加熱調理することができる。
【００２６】
（実施例２）
図２は本発明の別の一実施例の外観斜視図、図３は本発明の調理網本体３および回転皿２の関連構成説明平面図、図４は同じく、関連構成説明側面図である。脚部６ａは、先端が略Ｕ字型をしている。網外周部４から外側に延長した延長部９の先端を網外周部４の方に向かって曲げる屈曲部１０があり、ここから脚部６ａが伸びていて、なだらかに上方に湾曲している回転皿縁部８に接している。脚部６ｂ、６ｃには滑り防止手段７がある。網本体３は、滑り防止手段７がある方の脚部６ｂ、６ｃに比べて、滑り防止手段が無い脚部６ａの方に、より広がっていて、網本体の中心１１は、受け皿の回転中心軸１２からずれている。
【００２７】
次に動作、作用について説明すると、脚部６ｂ、６ｃには滑り防止手段７があるため、回転皿２の回転中に網本体３が滑って脱落する恐れが無く、一方の脚部６ａに脱落防止手段が無くてもよい。回転皿縁部８を垂直にして脚部６ａに当接させる必要が無いため、回転皿縁部８に食品や食器がぶつかって破損する恐れが無く、回転皿縁部８の厚みを厚くする必要がない。延長部９および屈曲部１０によって、脚部６ａは、網本体３の中心により近づけることができるとともに、滑り防止手段が無いことにより、網本体３の直径を大きくでき、より大きな食品を加熱調理することができる。また、網本体の中心１１は受け皿の回転中心軸１２からずれているので、食品は、受け皿の回転中心軸１２から偏心して回転することができる。このため、加熱室内の温度分布むらの影響を、より小さくできるので、良好な調理結果を得られる。
【００２８】
なお、受け皿は回転皿として、網本体は円形形状として説明したが、これに限るものではなく、あらゆる形状、例えば回転しない方形の受け皿と、方形の網本体であっても、同様の効果が得られる。
【００２９】
なお、受け皿の縁部は、上方になだらかに湾曲しているとして説明したが、これに限るものではなく、受け皿の表面に設けた凸型、凹型、外壁、あるいは傾斜の形状であっても、同様の効果を有する。
なお、脚部は３ヶ所で説明したが、これに限るものではなく、少なくとも一方の脚部の一ヶ所に滑り防止手段があれば、他の脚部の数に関係なく、同様の効果が得られる。
【００３０】
【発明の効果】
以上のように、本発明によれば、少なくとも一方の脚部には滑り防止手段を設け、少なくとも一方の脚部には滑り防止手段を設けない構成にしているため、受け皿縁部の厚みを厚くする必要がなく、網本体を広くすることができるので、大きな食品でも、むら無く効率よく調理できるという有利な効果を有する。
【図面の簡単な説明】
【図１】本発明の実施例１の調理用網の外観斜視図
【図２】本発明の実施例２の調理用網の外観斜視図
【図３】同調理用網の関連構成説明平面図
【図４】同調理用網の関連構成説明側面図
【図５】従来の調理用網の関連構成説明平面図
【図６】同調理用網の関連構成説明側面図
【図７】従来の調理用網の関連構成説明平面図
【図８】同調理用網の関連構成説明側面図
【符号の説明】
１　加熱室
２　回転皿（受け皿）
３　網本体
４　網外周部
５　網部
６　脚部
７　滑り防止手段
８　回転皿縁部（受け皿の外周）
９　延長部
１０　屈曲部
１１　網本体の中心
１２　受け皿本体の回転中心軸
【図１】
2004003747.tif 000003
【図２】
2004003747.tif 000004
【図３】
2004003747.tif 000005
【図４】
2004003747.tif 000006
【図５】
2004003747.tif 000007
【図６】
2004003747.tif 000008
【図７】
2004003747.tif 000009
【図８】
2004003747.tif 000010